(57)【要約】【課題】数値データの設定を要する機能設定を行う操作を簡略化でき、設定された数値データに応じて、通常の人が持っている認識と合致した設定動作が可能な原稿画像読取記録装置を提供する。【解決手段】数値データを入力して、装置が実行可能な機能を選択設定できるようにした原稿画像読取装置Ｆにおいて、設定すべき機能についての数値データをゼロにしたときには、その機能を無効に自動設定するようにした制御手段１を備えている。【選択図】図１
2007194901.tif 000002
【特許請求の範囲】
【請求項１】
数値データを入力して、装置が実行可能な機能を選択設定できるようにした原稿画像読取装置において、
設定すべき機能についての数値データをゼロにしたときには、その機能を無効に自動設定するようにした制御手段を備えた原稿画像読取記録装置。
【請求項２】
請求項１において、
上記制御手段は、更に、設定すべき機能が無効に設定されているときに、その機能を実行するための数値データをゼロ以外の数値に設定したときには、無効に設定されている機能を有効に切換設定するようにしている原稿画像読取記録装置。
【請求項３】
請求項１または２において、
上記制御手段は、装置で選択設定されている機能設定情報を表示ないし印字出力させる際に、上記数値データがゼロに設定されている機能については、機能が無効に設定されていることを表示ないし印字出力するようにしている、原稿画像読取記録装置。
【発明の詳細な説明】
【技術分野】
【０００１】
本発明は、有効、無効の選択設定とともに数値データの設定を必要とする機能項目を備えた原稿画像読取記録装置に関する。
【背景技術】
【０００２】
下記特許文献１に示すような原稿画像読取記録装置では、スリープモード、相手先ビジー時再コールなど、装置が実行可能な機能項目を設定するにあたって、各々の機能の有効、無効の選択とともに、数値データを入力しなければ、これらの機能を実行できないものがある。
【０００３】
例えば、スリープモード設定では、図５のフローチャート（２００〜２０５）に示すように、スリープモードのオン、オフ設定の設定画面を表示してオン、オフ設定をさせた後、数値データとして時間データを入力設定するための時間設定画面を表示して時間データの設定をさせ、更に、確定操作がなされたときにスリープモードを実行できるようにしている。
【０００４】
スリープモードを有効と設定すれば、設定された時間の間、装置がジョブの実行指令を受けなければ省電力のためのスリープモードを実行する。
【特許文献１】特開平８−３０７６３１号公報
【発明の開示】
【発明が解決しようとする課題】
【０００５】
しかしながら、上記した従来の原稿画像読取記録装置では、数値データの設定を要する機能設定を行う際には、機能の有無設定と、数値データの設定とに２段階の操作を要するため、設定操作が煩雑であった。
【０００６】
また、数値データは数値データ、機能を有効、無効にするデータはコマンドデータとして制御ソフト上で規定されているため、数値データをゼロにしても、最小値かデフォルト値が設定されるだけで、その機能を無効にすることができず、このような事実は、通常の人が認識するものとは異なり、ユーザ側で混乱を生じていた。
【０００７】
例えば、数値データをゼロに設定したユーザは、機能も無効に設定されたものと認識してしまうが、制御ソフト上では、機能は無効にされないため、装置が予想外の動作を行ってしまうと、混乱が生じる。
【０００８】
本発明は、このような問題を解決するために提案され、数値データの設定を要する機能設定を行う操作を簡略化でき、設定された数値データに応じて、通常の人が持っている認識と合致した設定動作が可能な原稿画像読取記録装置を提供することを目的とする。
【課題を解決するための手段】
【０００９】
以上の目的を達成するため、本発明の請求項１では、設定すべき機能についての数値データをゼロにしたときには、その機能を無効に自動設定するようにした制御手段を備えている。
【００１０】
請求項２では、制御手段は、更に、設定すべき機能が無効に設定されているときに、その機能を実行するための数値データをゼロ以外の数値に設定したときには、無効に設定されている機能を有効に切換設定するようにしている。
【００１１】
請求項３では、制御手段は、装置で選択設定されている機能設定情報を表示ないし印字出力させる際に、数値データがゼロに設定されている機能については、機能が無効に設定されていることを表示ないし印字出力するようにしている。
【発明の効果】
【００１２】
本発明によれば、以下の効果を奏する。
【００１３】
請求項１によれば、設定すべき機能についての数値データをゼロにすれば、その機能は無効に設定されるので、有効、無効の設定とともに数値データの設定を必要とする機能の設定操作を簡略化できる。
【００１４】
また、数値データをゼロにすれば無効に設定されるため、設定された数値データに応じて、通常の人が持っている認識と合致した設定動作が可能である。
【００１５】
請求項２によれば、設定すべき機能が無効に設定されているときに、その機能を実行するための数値データをゼロ以外の数値に設定したときには、無効に設定されている機能を有効に切換設定するので、通常の人が持っている認識と合致した設定動作が可能であり、無効から有効への切換設定を容易に行える。
【００１６】
請求項３によれば、装置で選択設定されている機能設定情報を表示ないし印字出力させる際に、数値データがゼロに設定されている機能については、機能が無効選択されている表示または印字出力するので、機能の有効、無効の状態を通常の人が概念的に把握し易い。
【発明を実施するための最良の形態】
【００１７】
以下に、本発明の実施の形態について説明する。ここでは、本発明の原稿画像読取装置の一例としてファクシミリ装置を示しているが、有効、無効の設定とともに数値データの設定を必要とする設定項目が予め準備された装置であればよい。
【実施例１】
【００１８】
図１は、本発明の原稿画像読取記録装置の要部構成の一例を示すブロック図である。
【００１９】
原稿画像読取記録装置の一例であるファクシミリ装置Ｆは、本発明の制御手段を構成するＣＰＵ１、電話回線Ｌに対する接続制御を行うＮＣＵ２、ファクシミリ通信に必要な信号を変復調するモデム３、各種制御プログラムなどを格納するＲＯＭ４、後述する機能設定テーブル５０を有するＲＡＭ５、原稿を読み取り画像データを生成するスキャナ６、液晶画面などで構成される表示部７、各種スイッチキーなどで構成される操作部８、画像データを符号化、復号するコーデック９、画像データを印字出力するプリンタ１０を少なくとも備える。
【００２０】
図２は、機能設定テーブル５０の構成の一例を示す図である。
【００２１】
機能設定テーブル５０は、このファクシミリ装置Ｆが実行可能な各種の機能種別が予め準備されており、機能種別毎に、有効、無効の設定、更には、その機能を実行するための数値データを要する機能には、その機能を実行するための数値データを対応付けて設定できるようにしている。
【００２２】
ここでは、有効、無効の設定とともに数値データの入力設定を要する機能として、「スリープモード」、「相手先ビジー時再コール」が例示されている。「スリープモード」については、有効設定がされ、かつ、数値データとして時間データ「６０秒」が入力設定されており、「６０秒」の間、このファクシミリ装置Ｆに対してジョブを指令しない場合には、スリープモードが開始される。
【００２３】
また、「相手先ビジー時再コール」については、無効設定がされ、かつ、数値データとして再コール回数「０」が入力設定されている。「相手先ビジー時再コール」とは、相手先装置をダイヤルして呼び出して応答がなかった場合に、この機能が有効に設定されている場合には、設定された数値データで規定されている回数、再呼出を行う機能をいう。
【００２４】
この機能設定テーブル５０は、数値データとして「０」が入力設定された場合には、ＣＰＵ１により、機能の無効を自動設定する一方、数値データとして「０」以外のデータが入力設定された場合には、その機能を有効と設定するとともに、入力された「０」以外の数値データを設定する。
【００２５】
その他の機能である、「メモリ送信」、「自動受信」、「済スタンプ」、「短縮ダイヤル使用」については、機能の有効、無効の設定のみ登録される。
【００２６】
「メモリ送信」について有効に設定すれば、メモリ送信機能が実行され、無効に設定すればリアルタイム送信が実行される。「自動受信」について有効に設定すれば自動受信が実行され、無効に設定すれば手動受信が実行される。
【００２７】
「済スタンプ」について有効に設定すれば済スタンプ機能が実行され、無効に設定すれば済スタンプ機能は実行されない。「短縮ダイヤル使用」について有効に設定すれば短縮ダイヤルの使用が可能となり、無効に設定すれば短縮ダイヤルの使用が無効となる。
【００２８】
このような構成において、機能設定テーブル５０に準備されている機能種別の選択設定について、図３のフローチャートとともに説明する。
【００２９】
図３は、機能種別の選択設定を行う機能設定モードの基本動作の一例について示すフローチャートである（１００〜１０８）。
【００３０】
ＣＰＵ１は、予めＲＯＭ４に記憶した制御プログラムに基づいて作動し、ユーザの所定操作によって機能設定モードの実行が指示されたときには、機能設定テーブル５０に予め準備されている機能を読み込んでこれらを一覧表示した機能一覧画面を表示する（１００）。
【００３１】
この機能一覧画面からユーザが所望の機能を選択すると、選択された機能が、数値データの設定を必要とする機能か否かを判定する（１０１，１０２）。このように、数値データの設定を必要とする機能か否かを判定するために、機能設定テーブルに準備された機能種別に対して、数値データの設定を必要とする機能である旨を識別できる識別データを付加するなど、ＣＰＵ１がその旨を識別できるようにすればよい。
【００３２】
数値データの設定を必要としない機能であれば、直ちに機能設定画面を表示し、機能の有効、無効の設定をさせる（１０３，１０４）。
【００３３】
一方、数値データの設定を必要とする機能であれば、機能設定画面を表示することなく、数値設定画面を表示し、数値データとして「０」が入力設定されれば、その機能を無効に設定するとともに、入力設定された数値データ「０」を設定する。
【００３４】
無効の設定は、機能設定テーブルの該当欄で更新される。そのため、該当機能が有効に設定されていた場合には、強制的に無効に書き換えられる。
【００３５】
一方、「０」以外の数値データが入力設定されれば、その機能は有効に書き換えられ、数値データとして入力された数値データを設定する（１０５〜１０８）。このとき、無効設定が登録されていた場合には、強制的に有効に書き換えられる。
【００３６】
図４は、機能設定情報リストの構成例を示す図である。
【００３７】
機能設定テーブル５０の機能設定情報を、ユーザの所定の指示操作により、表示部７に表示ないしはプリンタ１０より印字出力することができる。
【００３８】
図４（ａ）は、機能設定テーブル５０に準備されている全機能の機能設定情報リストＬ１を示しており、数値データがゼロに設定されている機能「相手先ビジー時再コール」については、その機能が無効であることを示す「ＯＦＦ」が表示されている。
【００３９】
図４（ｂ）は、機能設定テーブル５０に準備されている機能設定情報のうち、ユーザが選択し、書き換えた機能のみ表示した機能設定情報リストＬ２を示したものである
ここでは、「スリープモード」と「相手先ビジー時再コール」が選択された例を示している。数値データがゼロに設定されている機能「相手先ビジー時再コール」の表示については、図４（ａ）と同様であるため説明を省略する。
【００４０】
なお、ここでは、「スリープモード」、「相手先ビジー時再コール」を選択した例を示したが、選択できる機能はこれには限られない。
【図面の簡単な説明】
【００４１】
【図１】本発明の原稿画像読取装置の要部構成の一例を示す図
【図２】機能設定テーブルの構成の一例を示す図
【図３】本発明の原稿画像読取装置の基本動作の一例を示すフローチャート
【図４】機能設定情報リストの構成の一例を示しており、図４（ａ）は全機能の設定情報について表示あるいは印字出力した一例、図４（ｂ）は、ユーザによって選択された機能の設定情報について表示あるいは印字出力した一例を示す
【図５】従来の原稿画像読取装置の動作を示すフローチャート
【符号の説明】
【００４２】
１  ＣＰＵ
５  ＲＡＭ
５０  機能設定テーブル
Ｌ１，Ｌ２  機能設定情報リスト
【図１】
2007194901.tif 000003
【図２】
2007194901.tif 000004
【図３】
2007194901.tif 000005
【図４】
2007194901.tif 000006
【図５】
2007194901.tif 000007